(57)【要約】      （修正有）【課題】プロジェクタまたは照明光の入射角度によってプリズム部分の鏡面反射の影響で輝線などが視認されることを防ぐ反射型スクリーンを提供する。【解決手段】平板状のベース部１０１と、ベース部の一面上に設けられ、一の方向に延在し、一の方向に交差する方向に並んだ複数のプリズム部１０３とを備える反射型スクリーンであって、複数のプリズム部はそれぞれ、少なくとも一方の面がベース部の一面の法線方向に対して傾斜して他方の面と交差する一対の面１０５、１０７と、一方の面上に形成され、光を反射する反射層１１０と、一方の面について、反射層、および、反射層よりも、隣接するプリズム部の間の谷の側までを覆うトップコート層１１２とを有する。【選択図】図４
0003225725.tif 000002
【実用新案登録請求の範囲】
【請求項１】
平板状のベース部と、
前記ベース部の一面上に設けられ、一の方向に延在し、前記一の方向に交差する方向に並んだ複数のプリズム部と
を備える反射型スクリーンであって、
前記複数のプリズム部はそれぞれ、
少なくとも一方の面が前記ベース部の一面の法線方向に対して傾斜して他方の面と交差する一対の面と、
前記一方の面上に形成され、光を反射する反射層と、
前記一方の面について、前記反射層、および、前記反射層よりも、隣接する前記プリズム部の間の谷の側までを覆うトップコート層と
を有する、反射型スクリーン。
【請求項２】
前記トップコート層は、前記反射層よりも前記谷の側の少なくとも一部において、前記谷に近いほど薄い請求項１に記載の反射型スクリーン。
【請求項３】
前記トップコート層は、前記少なくとも一部における最も薄い部分よりも厚く前記谷を覆う請求項２に記載の反射型スクリーン。
【請求項４】
前記複数のプリズム部の各々において、前記トップコート層は前記反射層から前記他方の面の少なくとも一部までを覆う請求項１から３のいずれか１項に記載の反射型スクリーン。
【請求項５】
前記トップコート層は、光を拡散する機能を有する請求項１から４のいずれか１項に記載の反射型スクリーン。
【考案の詳細な説明】
【技術分野】
【０００１】
本考案は、反射型スクリーンに関する。
【背景技術】
【０００２】
断面が三角形状のプリズム部の一方の傾斜面に形成された反射層を用いて、映像光を反射する反射型スクリーンがある（例えば、特許文献１および特許文献２参照）。
［特許文献１］  米国特許公開２０１８／０２９９７６０号公報
［特許文献２］  米国特許公開２０１８／０２９９７６１号公報
【考案の概要】
【０００３】
しかしながら、上記反射型スクリーンでは、反射層が谷部近傍まで存在しないので、プロジェクタまたは照明光の入射角度によってはプリズム部分の鏡面反射の影響で輝線などが視認される場合があった。
【０００４】
上記課題を解決するために、本考案の第１の態様においては、平板状のベース部と、ベース部の一面上に設けられ、一の方向に延在し、一の方向に交差する方向に並んだ複数のプリズム部とを備える反射型スクリーンであって、複数のプリズム部はそれぞれ、少なくとも一方の面がベース部の一面の法線方向に対して傾斜して他方の面と交差する一対の面と、一方の面上に形成され、光を反射する反射層と、一方の面について、前記反射層、および、反射層よりも、隣接するプリズム部の間の谷の側までを覆うトップコート層とを有する。
【０００５】
なお、上記の考案の概要は、本考案の必要な特徴の全てを列挙したものではない。また、これらの特徴群のサブコンビネーションもまた考案となり得る。
【図面の簡単な説明】
【０００６】
【図１】プロジェクタシステム３０の全体構成図である。
【図２】反射型スクリーン１００の全体斜視図である。
【図３】反射型スクリーン１００の拡大断面図である。
【図４】他の反射型スクリーン２００の拡大断面図である。
【図５】さらに他の反射型スクリーン２１０の拡大断面図である。
【図６】さらに他の反射型スクリーン２２０の拡大断面図である。
【図７】さらに他の反射型スクリーン２３０の拡大断面図である。
【図８】さらに他の反射型スクリーン２４０の拡大断面図である。
【図９】さらに他の反射型スクリーン２５０の拡大断面図である。
【考案を実施するための形態】
【０００７】
以下、考案の実施の形態を通じて本考案を説明するが、以下の実施形態は実用新案登録請求の範囲にかかる考案を限定するものではない。また、実施形態の中で説明されている特徴の組み合わせの全てが考案の解決手段に必須であるとは限らない。
【０００８】
図１は、プロジェクタシステム３０の全体構成図である。以降の各図では、各構成の向きに対応して、「上」、「下」、「左」、「右」、「前」または「後」という用語が矢印と共に示されており、これらの用語を用いて各構成を説明する。
【０００９】
図１に示すように、プロジェクタシステム３０は、プロジェクタ２０と、反射型スクリーン１００とを備えている。プロジェクタ２０は、反射型スクリーン１００の前方且つ下方に配置され、映像を形成する映像光を反射型スクリーン１００に投影する。反射型スクリーン１００は、プロジェクタ２０によって投影された映像光を前方へと反射する。これにより、反射型スクリーン１００の前方にいるユーザ１０に対して、反射型スクリーン１００に映し出した映像を見せることができる。
【００１０】
図２は、反射型スクリーン１００の全体斜視図であり、図３は、反射型スクリーン１００の拡大断面図である。反射型スクリーン１００は、平板状のベース部１０１と、ベース部の一面上に設けられた複数のプリズム部１０３とを備える。
【００１１】
ベース部１０１は、正面視にて正方形、又は長方形、例えば横長の長方形に形成されている。ベース部１０１を構成する材料のうち、バインダー樹脂は、例えばポリプロピレン樹脂、アクリル樹脂、エポキシ樹脂、ポリカーボネート樹脂、ポリエステル樹脂、スチレン樹脂、アクリルスチレン共重合樹脂、ウレタン樹脂、ＵＶ硬化性樹脂（例えば、ウレタンアクリレート樹脂）である。ベース部１０１の構成は、板状であってもよく、巻き取り可能な柔軟性なシートであってもよい。ベース部１０１は、透明であってもよく、バインダー樹脂に例えばカーボンブラックなどの黒色顔料及び／又はアゾ系染料などの黒色染料といった光を吸収する着色剤を含有させることにより黒色であってもよい。あるいは、バインダー樹脂に例えば光拡散性の高い酸化チタンなどの白色粒子を含有させることにより白色であってもよい。
【００１２】
複数のプリズム部１０３は、ベース部１０１の一面である前面に設けられている。各プリズム部１０３は、三角形状の断面を有し、一の方向である水平方向に延在する。各プリズム部１０３の水平方向の長さは、ベース部１０１の水平方向の長さと等しい。複数のプリズム部１０３は、水平方向に直交する方向である上下方向に、互いに平行に並んでいる。ここで言う「直交」とは、「交差」の一例である。各プリズム部１０３の上下方向の長さは、例えば約１００μｍから３００μｍ程度である。各プリズム部１０３の前後方向の高さは、例えば約７０μｍから２００μｍ程度である。なお、各プリズム部１０３の水平方向の長さは、ベース部１０１の水平方向の長さよりも短くてもよい。
【００１３】
各プリズム部１０３を構成する材料のうち、バインダー樹脂は、ベース部１０１と同様に、例えばポリプロピレン樹脂、アクリル樹脂、エポキシ樹脂、ポリカーボネート樹脂、ポリエステル樹脂、スチレン樹脂、アクリルスチレン共重合樹脂、ウレタン樹脂である。当該バインダー樹脂は熱硬化性樹脂でもよく、ＵＶ硬化性樹脂（例えば、ウレタンアクリレート樹脂）でもよい。
【００１４】
各プリズム部１０３は、ベース部１０１と同様に、透明であってもよく、バインダー樹脂に例えばカーボンブラックなどの黒色顔料及び／又はアゾ系染料などの黒色染料といった黒色粒子などの、光を吸収するフィラーを含有させることにより黒色であってもよい。あるいは、バインダー樹脂に例えば光拡散性の高い酸化チタンなどの白色粒子を含有させることにより白色であってもよい。複数のプリズム部１０３およびベース部１０１が透明である場合には、ベース部１０１の後面上に黒色膜を形成して、黒色膜で照明光などの外光を吸収するようにしてもよい。複数のプリズム部１０３およびベース部１０１が黒色である場合には、透明である場合に比べて光の吸収率が高い。このため、複数のプリズム部１０３およびベース部１０１の所定の箇所で、映像光とは異なる方向、例えば使用状態における反射型スクリーン１００の前方且つ上方から入射する照明光などの外光をより多く吸収でき、反射型スクリーン１００によって反射される映像光のコントラストが向上する。なお、複数のプリズム部１０３は、ベース部１０１と異なる材料によって形成されてもよく、ベース部１０１と同じ材料によってベース部１０１と一体的又は別個に形成されてもよい。複数のプリズム部１０３およびベース部１０１が白色である場合には、透明である場合に比べて光の反射率が高いので、下記の反射層１１０の反射性能を向上させることができる。
【００１５】
複数のプリズム部１０３はそれぞれ、ベース部１０１の前面に対面せずに外側を向いている一対の面である上面１０５及び下面１０７を有する。下面１０７には、光を反射する反射層１１０が表面上に形成されている。下面１０７は、ベース部１０１の一面である、前面の細かい凸凹を無視した仮想的な平面の法線方向に対して傾斜して、使用状態において反射型スクリーン１００の前方且つ下方を向いている。これにより、下面１０７は、反射型スクリーン１００の前方且つ下方に配置されたプロジェクタ２０によって投影される映像光を、表面上に形成された反射層１１０により反射型スクリーン１００の前方に反射する。
【００１６】
各プリズム部１０３の下面１０７とベース部１０１の仮想的な平面との間の角度θは、例えば約４０°である。各プリズム部１０３の角度θは、製造工程の簡略化の観点からは、全て等しくすることが好ましい。一方で、各プリズム部１０３の角度θは、画質向上の観点からは、他のプリズム部１０３との間で異ならせることが好ましい。角度θを複数のプリズム部１０３間で異ならせる場合、反射型スクリーン１００の前方且つ下方に配置されたプロジェクタ２０から各プリズム部１０３に入射する映像光の上下方向における入射角度αに対応して、上下方向に隣接する複数のプリズム部１０３間で徐々に角度θを変化させることが好ましい。例えば、「２θ＝α」とすることが好ましい。
【００１７】
一方で、上面１０５は、ベース部１０１の仮想的な平面の法線方向に対して、平行であってもよく、傾斜してもよい。上面１０５は、傾斜する場合に、例えば使用状態において反射型スクリーン１００の前方且つ上方を向いている。下面１０７と上面１０５とは互いに交差して、交線１０６を形成する。なお、一のプリズム部１０３の上面１０５と、隣接する他のプリズム部１０３の下面１０７とが交差する部分は谷部１０９となっている。
【００１８】
反射層１１０は、各プリズム部１０３の下面１０７の水平方向の全長にわたって形成されている。反射層１１０は、反射型スクリーン１００の他の構成要素、例えば下面１０７、ベース部１０１などと比較して反射率が高い。反射層１１０は、図３に拡大して示されるように、上面１０５と下面１０７との交線１０６から、または下面１０７上における交線１０６付近の領域から、下面１０７の途中まで設けられている。すなわち、反射層１１０は、下面１０７上における交線１０６付近の領域から谷部１０９の手前まで設けられており、谷部１０９には設けられていない。
【００１９】
反射層１１０が谷部１０９には配されないことで、下面１０７において谷部１０９付近で生じる迷光をプリズム部１０３の内部に透過させることができる。各プリズム部１０３及びベース部１０１の少なくとも一方が黒色な場合には、当該迷光を、各プリズム部１０３及びベース部１０１の少なくとも一方に吸収させることができる。また、各プリズム部１０３及びベース部１０１の少なくとも一方が透明であってベース部１０１の背面に黒色膜を形成した場合には、当該迷光を、当該黒色膜に吸収させることができる。これにより、反射型スクリーン１００で反射される映像光のコントラストをより一層向上することができる。各プリズム部１０３及びベース部１０１の少なくとも一方が白色な場合には、上記の通り、透明である場合に比べて光の反射率が高いので、下記の反射層１１０の反射性能を向上させることができる。
【００２０】
反射層１１０は、下面１０７において、交線１０６の側から漸次肉厚になって、その後漸次肉薄になる。反射層１１０の厚みＷ１を最大値または平均値で表すと、例えば約１０μｍから約２０μｍである。
【００２１】
反射層１１０は、バインダー樹脂及びフィラーにより形成される。バインダー樹脂は、例えばウレタン樹脂、塩化ビニル樹脂、ポリオレフィン樹脂、ポリエステル樹脂、ＵＶ硬化性樹脂（例えば、ウレタンアクリレート樹脂）、アクリル樹脂である。フィラーは、例えば酸化チタン、雲母、硫酸バリウム、塩化バリウム、アルミニウムである。
【００２２】
プリズム部１０３はさらに、反射層１１０を覆うトップコート層１１２を有する。トップコート層１１２は光の拡散性を制御する機能を有する。すなわち、トップコート層１１２は、反射型スクリーン１００の他の構成要素、例えば反射層１１０、下面１０７などと比較して所定の方向で輝度が高い指向性を有している。
【００２３】
図３の例において、トップコート層１１２は反射層１１０を完全に覆っており、交線１０６またはその付近の領域から、下面１０７の途中まで設けられている。すなわち、反射層１１０は、下面１０７上における交線１０６またはその付近の領域から反射層１１０よりも谷部１０９の側まで覆うが、谷部１０９は覆っていない。
【００２４】
トップコート層１１２の反射層１１０上の厚みＷ２を最大値または平均値で表すと、例えば数μｍである。さらに、トップコート層１１２は、反射層１１０よりも谷部１０９の側の少なくとも一部において、谷部１０９に近いほど薄い。図３の例において、領域Ｐ１において、谷部１０９から遠い側の厚みＷ３より近い側の厚みＷ４の方が小さい。
【００２５】
トップコート層１１２は、ベース樹脂に光輝性顔料および拡散剤を含有させて形成される。ベース樹脂は例えばウレタン樹脂、アクリル樹脂、ＵＶ硬化性樹脂（例えば、ウレタンアクリレート樹脂）などである。光輝性顔料は、アルミ、バール顔料などである。拡散剤は、シリカ、プラスチック・ビーズ（例えば、アクリルビーズ、ウレタンビーズ、スチレンビーズ）、ガラスビーズなどである。光輝性顔料は反射の指向性を高める要因となる一方で、拡散剤は指向性を下げる要因となる。よって、光輝性顔料と拡散剤との分量の比で反射の指向性、すなわち、拡散の度合いを制御することができる。
【００２６】
上記の通り、トップコート層１１２が反射層１１０を覆うことで、拡散性と高ゲインの両方の特性を得ることができる。すなわち、反射層１１０は拡散性が高く、トップコート層は指向性をもつので高輝度化が可能となる。これにより、広い視野範囲を得ることができる。さらに、トップコート層１１２が下面１０７上における交線１０６またはその付近の領域から反射層１１０よりも谷部１０９の側まで覆うことで、低角度で入射したプロジェクタ光に対する輝線の発生を防ぐことができる。
【００２７】
図４は、他の反射型スクリーン２００の拡大断面図である。反射型スクリーン２００において反射型スクリーン１００と同一の構成および機能については説明を省略する。
【００２８】
反射型スクリーン２００のトップコート層１１２は、谷部１０９も覆っている。さらに、トップコート層１１２は上面１０５も覆っている。したがって、複数のプリズム部１０３の前面側がトップコート層で切れ目なく覆われている。
【００２９】
反射型スクリーン１００と同様に、反射型スクリーン２００においても、トップコート層１１２は、反射層１１０よりも谷部１０９の側の少なくとも一部において、谷部１０９に近いほど薄い。図４の例において、領域Ｐ２において、谷部１０９から遠い側の厚みＷ５より近い側の厚みＷ６の方が小さい。なお、これに代えて、領域Ｐ２においてトップコート層１１２の厚みは同程度であってもよく、Ｗ５よりＷ６の方が大きくてもよい。
【００３０】
トップコート層１１２はさらに、上記領域における領域Ｐ２において最も薄い部分よりも厚く谷部１０９を覆う（図中でＷ６＜Ｗ７）。すなわち、最も薄い部分の厚みをＷ６とすれば、Ｗ６から谷部１０９に向かって徐々に厚くなり、谷部１０９で極大Ｗ７となり、その後、上面１０５上で徐々に薄くなる。この場合、Ｗ７はＷ６の２倍から３倍程度であることが好ましい。
【００３１】
図４において破線の円で囲んだ拡大図に示すように、トップコート層１１２における谷部１０９を覆っている部分は滑らかな曲面を形成する。この場合に、谷部１０９の谷底部分と向かい合う領域の曲率半径Ｒは小さいことが好ましく、例えばθ＝４０°、プリズム部１０３のピッチが３００μｍの場合に、曲率半径Ｒは約１００μｍから約６０μｍが好ましい。
【００３２】
反射型スクリーン２００は、反射型スクリーン１００で得られる効果に加えて、下記の効果も奏する。トップコート層１１２が谷部１０９を覆っているので、プリズム部１０３の間の強度を高めることができる。これは、反射型スクリーン２００がロールスクリーンとして用いられる場合に、垂直方向および水平方向に張力を掛けるので、特に有効である。さらに、トップコート層１１２は谷部１０９での表面が滑らかな曲面なので、谷部１０９に塵芥がたまりにくく、クリーニングもしやすい。
【００３３】
図５は、さらに他の反射型スクリーン２１０の拡大断面図である。反射型スクリーン２１０において、反射型スクリーン２００と同一の構成および機能については説明を省略する。
【００３４】
反射型スクリーン２１０は、反射型スクリーン２００と異なる構成として、図５に示されるように、反射層１１０の部分Ｐ３が交線１０６を跨いで上面１０５まで延在している。反射型スクリーン２１０においても、反射型スクリーン２００と同様の効果を得ることができ、さらに、輝線の防止や谷部１０９の強度が高まるという効果を得ることができる。
【００３５】
図６は、さらに他の反射型スクリーン２２０の拡大断面図である。反射型スクリーン２２０において、反射型スクリーン２１０と同一の構成および機能については説明を省略する。
【００３６】
反射型スクリーン２２０は、上面１０５上に形成された、光を吸収する光吸収層１５０を追加的に備える点で、反射型スクリーン２１０と異なる。光吸収層１５０は、交線１０６を跨いで下面１０７まで延在し、反射層１１０の一部のみを覆う。なお、反射層１１０が下面１０７上で交線１０６から離間して形成されている場合には、光吸収層１５０は、反射層１１０を覆っても、覆わなくてもよい。
【００３７】
光吸収層１５０の厚みは、例えば約５μｍから１０μｍ程度である。光吸収層１５０は、各プリズム部１０３の延在方向である水平方向において、上面１０５及び下面１０７の全長にわたって形成されている。図６に示されるように、光吸収層１５０は、上面１０５において、交線１０６から上面１０５の途中部まで形成されてもよく、上面１０５の谷部１０９まで形成されてもよい。なお、反射層１１０が下面１０７上で交線１０６から離間して形成されている場合には、光吸収層１５０は、反射層１１０を覆っても、覆わなくてもよい。
【００３８】
光吸収層１５０は、バインダー樹脂及びフィラーから形成される。光吸収部としてのバインダー樹脂は、反射層１１０のバインダー樹脂と同様に、例えばウレタン樹脂、塩化ビニル樹脂、ポリオレフィン樹脂、ポリエステル樹脂、ＵＶ硬化性樹脂（例えば、ウレタンアクリレート樹脂）、アクリル樹脂である。光吸収部としてのフィラーは、例えば、カーボンブラックなどの黒色顔料及び／又はアゾ系染料などの黒色染料である。
【００３９】
以上の通り、反射型スクリーン２２０によれば、各プリズム部１０３の交線１０６近傍の領域に入射する外光を光吸収層１５０によって吸収させることによってコントラストを向上できる。なお、反射型スクリーン２２０において、代替的に、反射層１１０が交線１０６を跨がずに、光吸収層１５０が下面１０７において反射層１１０の一部のみを覆う構成としてもよい。
【００４０】
また、反射型スクリーン２２０のように、各プリズム部１０３の交線１０６付近に光吸収層１５０を設ける場合、反射層１１０は、バインダー樹脂及びフィラー、例えば上述したウレタン樹脂及び酸化チタンに加えて、酸化チタンの表面をウレタン樹脂でコーティングした白色ビーズを含むことが好ましい。前述のような白色ビーズは、酸化チタンに比べバインダー樹脂への分散性が良いので、反射層１１０における酸化チタンの含有量を増やすことができる。これにより、反射層１１０の反射率が高くなり、反射層１１０のゲインが向上する。一方で、反射層１１０が追加的に白色ビーズを含むと、反射層１１０の透過率は低くなり、反射層１１０の交線１０６付近の領域に入射する外光を透過し難くなるが、交線１０６付近に光吸収層１５０を設けるので、光吸収層１５０で当該外光を吸収でき、高いコントラストを実現できる。なお、白色ビーズで用いる樹脂としては、ウレタン樹脂以外にアクリル樹脂、スチレン樹脂、スチレン樹脂またはそれぞれの樹脂の共重合体を用いることができる。
【００４１】
図７は、さらに他の反射型スクリーン２３０の拡大断面図である。反射型スクリーン２３０において、反射型スクリーン２２０と同一の構成および機能については説明を省略する。
【００４２】
反射型スクリーン２３０は、反射層１１０が、交線１０６を跨って上面１０５にまで延在する点で、反射型スクリーン２２０と異なる。更に、反射型スクリーン２３０は、光吸収層１５０が、上面１０５上には直接形成されることなく、上下方向における反射層１１０の上面１０５側の端部を覆うように形成されている点で、反射型スクリーン２２０と異なる。また、光吸収層１５０は、上下方向において反射層１１０よりも短い。なお、反射層１１０が、交線１０６を跨って上面１０５にまで延在しない場合、光吸収層１５０は、反射層１１０を覆わずに下面１０７上の上面１０５側に形成されてもよい。
【００４３】
図８は、さらに他の反射型スクリーン２４０の拡大断面図である。反射型スクリーン２４０において、反射型スクリーン２３０と同一の構成および機能については説明を省略する。反射型スクリーン２４０は、反射層１１０および光吸収層１５０の厚さが略一様である点で、反射型スクリーン２００と異なる。
【００４４】
図９は、さらに他の反射型スクリーン２５０の拡大断面図である。反射型スクリーン２５０において、反射型スクリーン２４０と同一の構成および機能については説明を省略する。
【００４５】
反射型スクリーン２５０は、反射層１１０が、交線１０６を跨って上面１０５にまで延在せず、且つ、下面１０７において交線１０６から離間している点で反射型スクリーン２４０と異なる。更に、光吸収層１５０が、上面１０５には形成されることなく、下面１０７において、上下方向における反射層１１０の上面１０５側の端部を覆うように形成されている。また、光吸収層１５０は、上下方向において反射層１１０よりも短い。好ましくは、光吸収層１５０は、交線１０６を含めて、各プリズム部１０３の頂部を覆うように、交線１０６から下面１０７側に延在する。この場合、各プリズム部１０３の頂部で映像光が鏡面反射してユーザ１０における視認性低下をもたらすことを防止できる。なお、反射型スクリーン２５０において、代替的に、反射層１１０が交線１０６から下面１０７の谷部１０９の側まで延在してもよい。なお、光吸収層１５０は、反射層１１０を覆わずに下面１０７上の上面１０５の側に形成されてもよい。
【００４６】
なお、図５から図９の反射型スクリーン２１０から２５０において、トップコート層１１２を図３のように設けてもよい。すなわち、反射型スクリーン２１０から２５０において、トップコート層１１２が谷部１０９を覆わなくてもよい。
【００４７】
また、図４から図９の反射型スクリーン２００から２５０において、トップコート層１１２は上面１０５の一部を覆わずに上面１０５の当該一部を露出させてもよい。さらに、図３から図９の反射型スクリーン１００、２００から２５０において、反射層１１０が谷部１０９まで延在していてもよい。
【００４８】
なお、いずれの実施形態においても、トップコート層１１２はロールコーター、グラビアコーター、ダイコーター、スプレーコーターなどにより形成することができる。
【００４９】
以上、本考案を実施の形態を用いて説明したが、本考案の技術的範囲は上記実施の形態に記載の範囲には限定されない。上記実施の形態に、多様な変更または改良を加えることが可能であることが当業者に明らかである。その様な変更または改良を加えた形態も本考案の技術的範囲に含まれ得ることが、実用新案登録請求の範囲の記載から明らかである。
【００５０】
実用新案登録請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。実用新案登録請求の範囲、明細書、および図面中の動作フローに関して、便宜上「まず、」、「次に、」等を用いて説明したとしても、この順で実施することが必須であることを意味するものではない。
【符号の説明】
【００５１】
１０  ユーザ、２０  プロジェクタ、３０  プロジェクタシステム、１００、２００、２１０、２２０、２３０、２４０、２５０  反射型スクリーン、１０１  ベース部、１０３  プリズム部、１０５  上面、１０６  交線、１０７  下面、１０９  谷部、１１０  反射層、１１２  トップコート層、１５０  光吸収層
【図１】
0003225725.tif 000003
【図２】
0003225725.tif 000004
【図３】
0003225725.tif 000005
【図４】
0003225725.tif 000006
【図５】
0003225725.tif 000007
【図６】
0003225725.tif 000008
【図７】
0003225725.tif 000009
【図８】
0003225725.tif 000010
【図９】
0003225725.tif 000011